(57)【要約】【課題】本発明は、コイル間の絶縁性を向上させることができるコモンモードノイズフィルタおよびその製造方法を提供することを目的とするものである。【解決手段】本発明のコモンモードノイズフィルタは、第１〜第４のコイル導体１２、１３、１５、１６のうち最下層に位置する第１のコイル導体１２のさらに下方に位置する第２の絶縁体層１１ｂと、第１〜第４のコイル導体１２、１３、１５、１６のうち最上層に位置する第４のコイル導体１６のさらに上方に位置する第６の絶縁体層１１ｆに、第１、第４のコイル導体１２、１６とそれぞれ接続する導電部２０ａ、２０ｄを設け、この導電部２０ａ、２０ｄと外部電極１９ａ、１９ｄとを接続させたものである。【選択図】図１
2014123643.tif 000002
【特許請求の範囲】
【請求項１】
複数の絶縁体層と、前記絶縁体層に形成された第１のコイル導体および第２のコイル導体からなる第１のコイルと、前記絶縁体層に形成された第３のコイル導体および第４のコイル導体からなる第２のコイルと、前記複数の絶縁体層、第１のコイル、第２のコイルからなる積層体と、前記積層体の表面に形成され、前記第１、第２のコイルの両端部に形成された外部電極とを備え、前記第１〜第４のコイル導体のうち最下層に位置するコイル導体のさらに下方に位置する絶縁体層と、前記第１〜第４のコイル導体のうち最上層に位置するコイル導体のさらに上方に位置する絶縁体層に、前記コイル導体と接続する導電部を設け、この導電部と前記外部電極とを接続させたコモンモードノイズフィルタ。
【請求項２】
第１のコイルを構成する第１のコイル導体、第２のコイル導体と、第２のコイルを構成する第３のコイル導体、第４のコイル導体を交互に積層し、かつ、前記第２のコイル導体に接続される導電部と前記第３のコイル導体に接続される導電部とを異なる絶縁体層に形成した請求項１記載のコモンモードノイズフィルタ。
【請求項３】
第１のコイルを構成する第１のコイル導体と第２のコイル導体との間に、第２のコイルを構成する第３のコイル導体、第４のコイル導体を積層し、かつ、前記第３のコイル導体と第４のコイル導体との間に位置する絶縁体層に、前記第３のコイル導体、第４のコイル導体それぞれに接続する導電部を形成した請求項１記載のコモンモードノイズフィルタ。
【請求項４】
請求項１記載のコモンモードノイズフィルタにおいて、複数の縦分割部と横分割部を有し、前記縦分割部、横分割部で１つのコモンモードノイズフィルタに相当する素子部分が区切られたシート状の絶縁体層を複数形成し、コイル導体および前記コイル導体と接続する１つの導電部を下面または上面に備えた前記シート状の絶縁体層において、横方向に隣接する２つの前記素子部分の組を、前記２つの素子部分を隔てる縦分割部に対して線対称になるように形成したコモンモードノイズフィルタの製造方法。
【発明の詳細な説明】
【技術分野】
【０００１】
本発明は、デジタル機器やＡＶ機器、情報通信端末等の各種電子機器に使用されるコモンモードノイズフィルタおよびその製造方法に関するものである。
【背景技術】
【０００２】
従来のこの種のコモンモードノイズフィルタは、図８に示すように、積層された複数の絶縁体層１ａ〜１ｇに形成された第１のコイル２と第２のコイル３とを有し、第１のコイル２は第１、第２のコイル導体４ａ、４ｂを接続して構成され、第２のコイル３は第３、第４のコイル導体５ａ、５ｂを接続して構成され、さらに、第１のコイル２を構成する第１、第２のコイル導体４ａ、４ｂと、第２のコイル３を構成する第３、第４のコイル導体５ａ、５ｂとを交互に配置した構成となっていた。また、第１のコイル導体４ａと第３のコイル導体５ａとを磁気結合させ、かつ第２のコイル導体４ｂと第４のコイル導体５ｂとを磁気結合させて、コモンモードノイズを除去するようにしていた。
【０００３】
なお、この出願の発明に関する先行技術文献情報としては、例えば、特許文献１が知られている。
【先行技術文献】
【特許文献】
【０００４】
【特許文献１】特開２００２−３７３８１０号公報
【発明の概要】
【発明が解決しようとする課題】
【０００５】
近年、コモンモードノイズフィルタは、市場から小型化が要望されているが、小型化等した場合、コイルの厚みが薄くなったり幅が狭くなったりするため、コイルと外部電極との接続信頼性が悪化する可能性があった。
【０００６】
そこで、特開平７−９９１１６号公報（以下、「特許文献２」とする。その断面図を図９に示す。）に開示されている発明では、積層体６の表面に露出するようにビア電極７を形成し、ビア電極７とコイル８の両端部８ａ、８ｂを接続させることによってコイル８と第１、第２の外部電極９とを接続させ、これにより、コイル８と第１、第２の外部電極９との接続面積を広くして、コイル８と第１、第２の外部電極９との接続信頼性の向上を図っていた。
【０００７】
しかしながら、特許文献２では、コイル８の一端部８ａはコイル８の他端部８ｂより下方に位置し、さらに、下方に位置するコイル８の一端部８ａは、このコイル８の一端部８ａより上方に位置するビア電極７と接続され、上方に位置するコイル８の他端部８ｂは、このコイル８の他端部８ｂより下方に位置するビア電極７と接続されているため、従来のコモンモードノイズフィルタを、特許文献２に記載されたコモンモードノイズフィルタに適用すると、図１０に示すように、他のコイル導体より下方に位置し、かつ第１のコイル２を構成する第１のコイル導体４ａには、第１のコイル導体４ａより上方に位置するビア７と接続され、このビア７と第２のコイル３を構成する第３のコイル導体５ａとが近接し、さらに、他のコイル導体より上方に位置し、かつ第２のコイル３を構成する第４のコイル導体５ｂには、第４のコイル導体５ｂより下方に位置するビア７と接続され、このビア７と第１のコイル２を構成する第２のコイル導体４ｂとが近接するため、第１のコイル２と第２のコイル３との絶縁性が劣化するという課題を有していた。
【０００８】
本発明は上記従来の課題を解決するもので、コイルと外部電極との接続信頼性を確保しつつコイル間の絶縁性を向上させることができるコモンモードノイズフィルタおよびその製造方法を提供することを目的とするものである。
【課題を解決するための手段】
【０００９】
上記目的を達成するために本発明は、以下の構成を有するものである。
【００１０】
本発明の請求項１に記載の発明は、複数の絶縁体層と、前記絶縁体層に形成された第１のコイル導体および第２のコイル導体からなる第１のコイルと、前記絶縁体層に形成された第３のコイル導体および第４のコイル導体からなる第２のコイルと、前記複数の絶縁体層、第１のコイル、第２のコイルからなる積層体と、前記積層体の表面に形成され、前記第１、第２のコイルの両端部に形成された外部電極とを備え、前記第１〜第４のコイル導体のうち最下層に位置するコイル導体のさらに下方に位置する絶縁体層と、前記第１〜第４のコイル導体のうち最上層に位置するコイル導体のさらに上方に位置する絶縁体層に、前記コイル導体と接続する導電部を設け、この導電部と前記外部電極とを接続させたもので、この構成によれば、導電部を第１、第２のコイルが形成された部分より上方、下方に形成することができるため、上方に形成された導電部に接続される一方のコイルと、この上方に形成された導電部の下方に形成され他方のコイルを構成する絶縁体層とが近接するのを防ぐことができ、また、下方に形成された導電部に接続される他方のコイルと、この下方に形成された導電部の上方に形成され一方のコイルとが近接するのを防ぐことができ、これにより、導電部付与によりコイルと外部電極の接続信頼性を確保しつつ、コイル間の絶縁性を向上させることができるという作用効果を有するものである。
【００１１】
本発明の請求項２に記載の発明は、特に、第１のコイルを構成する第１のコイル導体、第２のコイル導体と、第２のコイルを構成する第３のコイル導体、第４のコイル導体を交互に積層し、かつ、前記第２のコイル導体に接続される導電部と前記第３のコイル導体に接続される導電部とを異なる絶縁体層に形成したもので、この構成によれば、第１のコイルを構成する第２のコイル導体に接続される導電部と、第２のコイルを構成する第３のコイル導体との間に、絶縁体層が形成され、さらに、第２のコイルを構成する第３のコイル導体に接続される導電部と、第１のコイルを構成する第２のコイル導体との間に、絶縁体層が形成されるため、第１のコイルと第２のコイルが近接するのを防ぐことができ、これにより、導電部付与によりコイルと外部電極の接続信頼性を確保しつつ、コイル間の絶縁性を向上させることができるという作用効果を有するものである。
【００１２】
本発明の請求項３に記載の発明は、特に、第１のコイルを構成する第１のコイル導体と第２のコイル導体との間に、第２のコイルを構成する第３のコイル導体、第４のコイル導体を積層し、かつ、前記第３のコイル導体と第４のコイル導体との間に位置する絶縁体層に、前記第３のコイル導体、第４のコイル導体それぞれに接続する導電部を形成したもので、この構成によれば、第３のコイル導体、第４のコイル導体は同電位であるため、導電部と第３、第４のコイル導体とが近接しても絶縁性が劣化することはないという作用効果を有するものである。
【００１３】
本発明の請求項４に記載の発明は、特に、複数の縦分割部と横分割部を有し、前記縦分割部、横分割部で１つのコモンモードノイズフィルタに相当する素子部分が区切られたシート状の絶縁体層を複数形成し、コイル導体および前記コイル導体と接続する１つの導電部を下面または上面に備えた前記シート状の絶縁体層において、横方向に隣接する２つの前記素子部分の組を、前記２つの素子部分を隔てる縦分割部に対して線対称になるように形成したもので、この製造方法によれば、１つの素子部分に接続する導電部が、他方の素子部分とは反対方向に形成されるため、コイル導体が形成された同一絶縁体層上において、コイル導体に接続されない余分な導電部が発生せず、これにより、縦分割部で分割する際にこの余分な導電部周辺でクラックが発生したり、余分な導電部が脱落したりして、外観不良が発生するのを抑制できる作用効果を有するものである。
【発明の効果】
【００１４】
以上のように本発明のコモンモードノイズフィルタは、第１〜第４のコイル導体のうち最下層に位置するコイル導体のさらに下方に位置する絶縁体層と、第１〜第４のコイル導体のうち最上層に位置するコイル導体のさらに上方に位置する絶縁体層に、前記コイル導体と接続する導電部を設け、この導電部と前記外部電極とを接続させたため、導電部を第１、第２のコイルが形成された部分より上方、下方に形成することができ、これにより、上方に形成された導電部に接続される一方のコイルと、この上方に形成された導電部の下方に形成され他方のコイルを構成する絶縁体層とが近接するのを防ぐことができ、また、下方に形成された導電部に接続される他方のコイルと、この下方に形成された導電部の上方に形成され一方のコイルとが近接するのを防ぐことができるため、導電部付与によりコイルと外部電極の接続信頼性を確保しつつ、コイル間の絶縁性を向上させることができるという優れた効果を奏するものである。
【図面の簡単な説明】
【００１５】
【図１】本発明の実施の形態１におけるコモンモードノイズフィルタの分解斜視図
【図２】同コモンモードノイズフィルタの斜視図
【図３】同コモンモードノイズフィルタの断面図
【図４】同コモンモードノイズフィルタの製造工程の一部を示す図
【図５】同コモンモードノイズフィルタの製造工程と異なる場合を示す図
【図６】同コモンモードノイズフィルタの製造工程と異なる場合によって形成された絶縁体層を示す斜視図
【図７】本発明の実施の形態２におけるコモンモードノイズフィルタの分解斜視図
【図８】従来のコモンモードノイズフィルタの分解斜視図
【図９】他の従来のコモンモードノイズフィルタの断面図
【図１０】同コモンモードノイズフィルタの分解斜視図
【発明を実施するための形態】
【００１６】
（実施の形態１）
以下、実施の形態１を用いて、本発明の特に請求項１、２、４に記載の発明について説明する。
【００１７】
図１は本発明の実施の形態１におけるコモンモードノイズフィルタの分解斜視図、図２は同コモンモードノイズフィルタの斜視図、図３は同コモンモードノイズフィルタの断面を模式的に示した図である。
【００１８】
本発明の実施の形態１におけるコモンモードノイズフィルタは、図１〜図３に示すように、第１〜第８の絶縁体層１１ａ〜１１ｈと、第２、第５の絶縁体層１１ｂ、１１ｅ上に形成された第１のコイル導体１２および第２のコイル導体１３からなる第１のコイル１４と、第３、第６の絶縁体層１１ｃ、１１ｆ上に形成された第３のコイル導体１５および第４のコイル導体１６からなる第２のコイル１７と、第１〜第８の絶縁体層１１ａ〜１１ｈ、第１のコイル１４、第２のコイル１７からなる積層体１８と、積層体１８の表面に形成され、第１、第２のコイル１４、１７の両端部に形成された外部電極１９ａ〜１９ｄとを備えている。
【００１９】
そして、第１〜第４のコイル導体１２、１３、１５、１６のうち最下層に位置する第１のコイル導体１２のさらに下方に位置する第２の絶縁体層１１ｂと、第１〜第４のコイル導体１２、１３、１５、１６のうち最上層に位置する第４のコイル導体１６のさらに上方に位置する第７の絶縁体層１１ｇに、この第１、第４のコイル導体１２、１６それぞれと接続する第１、第４の導電部２０ａ、２０ｄを設け、さらに、第１〜第４の導電部２０ａ〜２０ｄそれぞれと第１〜第４の外部電極１９ａ〜１９ｄとを接続させている。
【００２０】
上記構成において、第１〜第８の絶縁体層１１ａ〜１１ｈは、下からこの順に積層され、また、第２〜第７の絶縁体層１１ｂ〜１１ｇは、Ｃｕ−Ｚｎ系セラミック、ガラスセラミック等の非磁性材料によりシート状に構成され、第１、第８の絶縁体層１１ａ、１１ｈはＣｕ−Ｎｉ−Ｚｎフェライト等の磁性材料によりシート状に構成されている。なお、第１〜第８の絶縁体層１１ａ〜１１ｈの枚数は、図１に示された枚数に限られるものではない。
【００２１】
さらに、前記第１〜第４のコイル導体１２、１３、１５、１６は、それぞれ銀等の導電材料を渦巻状にめっきまたは印刷することにより形成されている。そして、第１のコイル導体１２は第２の絶縁体層１１ｂの上面、第２のコイル導体１３は第５の絶縁体層１１ｅの上面、第３のコイル導体１５は第３の絶縁体層１１ｃの上面、第４のコイル導体１６は第６の絶縁体層１１ｆの上面にそれぞれ形成されている。すなわち、第１のコイル１４を構成するコイル導体と第２のコイル１７を構成するコイル導体を交互に積層している。ここで、上面視にて第１のコイル導体１２と第３のコイル導体１５の一部を略同じ位置に配置し、巻き方向も同一方向としている。同様に、上面視にて第２のコイル導体１３と第４のコイル導体１６の一部を略同じ位置に配置し、巻き方向も同一方向としている。なお、第１〜第４のコイル導体１２、１３、１５、１６の形状は、渦巻状ではなく、螺旋状等の他の形状としてもよい。
【００２２】
また、第１のコイル導体１２と第２のコイル導体１３とは、第３〜第５の絶縁体層１１ｃ〜１１ｅにそれぞれ形成された第１のビア電極２１を介して互いに接続され、第１のコイル１４が構成される。さらに、第３のコイル導体１５と第４のコイル導体１６とは、第４〜第６の絶縁体層１１ｄ〜１１ｆに形成された第２のビア電極２２を介して互いに接続され、第２のコイル１７が構成される。
【００２３】
そして、上記のような構成において、第１のコイル導体１２と第３のコイル導体１５とを磁気結合させ、これにより、第１のコモンモードフィルタ部２３を設け、かつ、第２のコイル導体１３と第４のコイル導体１６を磁気結合させ、これにより、第２のコモンモードフィルタ部２４を設けている。さらに、第１のコモンモードフィルタ部２３と第２のコモンモードフィルタ部２４とを直列に接続している。
【００２４】
なお、第１のビア電極２１はそれぞれ上面視にて同じ位置に設けられ、第２のビア電極２２もそれぞれ上面視にて同じ位置に設けられている。また、第１のビア電極２１、第２のビア電極２２は、絶縁体層の所定の箇所に、レーザで孔あけ加工をし、この孔に銀を充填して形成する。
【００２５】
さらに、前記第１〜第４の導電部２０ａ〜２０ｄは、第２の絶縁体層１１ｂ、第４の絶縁体層１１ｄ、第５の絶縁体層１１ｅ、第７の絶縁体層１１ｇの端部に露出する所定箇所にレーザで貫通孔を設け、この貫通孔に銀を充填して形成される。
【００２６】
そして、第１の導電部２０ａは、第２の絶縁体層１１ｂの一端面に露出するように第２の絶縁体層１１ｂに形成され、かつ第１のコイル導体１２と接続されている。第２の導電部２０ｂは、第５の絶縁体層１１ｅの一端面に露出するように第５の絶縁体層１１ｅに形成され、かつ第２のコイル導体１３と接続されている。第３の導電部２０ｃは、第４の絶縁体層１１ｄの一端面に露出するように第４の絶縁体層１１ｄに形成され、かつ第３のコイル導体１５と接続されている。第４の導電部２０ｄは、第７の絶縁体層１１ｇの一端面に露出するように第７の絶縁体層１１ｇに形成され、かつ第４のコイル導体１６と接続されている。
【００２７】
そして、上記した構成により、積層体１８が形成される。また、この積層体１８の両端面には、第１〜第４の外部電極１９ａ〜１９ｄが設けられ、さらに、第１〜第４の外部電極１９ａ〜１９ｄは、積層体１８の端面に銀を印刷することにより形成され、さらにまた、これらの表面にめっきによってニッケルめっき層を形成するとともに、このニッケルめっき層の表面にめっきによってすずやはんだ等の低融点金属めっき層を形成する。
【００２８】
そして、第１の外部電極１９ａは第１の導電部２０ａと接続し、第２の外部電極１９ｂは第２の導電部２０ｂと接続している。さらに、上記したように、第１の導電部２０ａは第１のコイル導体１２と接続し、第２の導電部２０ｂは第２のコイル導体１３と接続しているため、第１のコイル１４の両端部が第１、第２の導電部２０ａ、２０ｂを介して第１、第２の外部電極１９ａ、１９ｂと接続される。同様に、第３の外部電極１９ｃは第３の導電部２０ｃと接続し、第４の外部電極１９ｄは第４の導電部２０ｄと接続している。さらにまた、上記したように、第３の導電部２０ｃは第３のコイル導体１５と接続し、第４の導電部２０ｄは第４のコイル導体１６と接続しているため、第２のコイル１７の両端部が第３、第４の導電部２０ｃ、２０ｄを介して第３、第４の外部電極１９ｃ、１９ｄと接続される。
【００２９】
上記したように本発明の実施の形態１におけるコモンモードノイズフィルタにおいては、第１〜第４のコイル導体１２、１３、１５、１６のうち最下層に位置する第１のコイル導体１２のさらに下方に位置する第２の絶縁体層１１ｂと、第１〜第４のコイル導体１２、１３、１５、１６のうち最上層に位置する第４のコイル導体１６のさらに上方に位置する第７の絶縁体層１１ｇに、第１、第４のコイル導体１２、１６とそれぞれ接続する第１、第４の導電部２０ａ、２０ｄを設けているため、第１、第４の導電部２０ａ、２０ｄを第１、第２のコイル１４、１７が形成された部分より上方、下方に形成することができ、これにより、上方に形成されかつ第２のコイル１７を構成する第４のコイル導体１６に接続する第４の導電部２０ｄと、第１のコイル１４を構成する第２のコイル導体１３との間に、第６の絶縁体層１１ｆが形成され、さらに、下方に形成されかつ第１のコイル１４を構成する第１のコイル導体１２に接続する第１の導電部２０ａと、第２のコイル１７を構成する第３のコイル導体１５との間に、第３の絶縁体層１１ｃが形成されるため、第１のコイル１４と第２のコイル１７とが近接するのを防ぐことができる。また、第２のコイル導体１３に接続される第２の導電部２０ｂと第３のコイル導体１５に接続される第３の導電部２０ｃとを異なる絶縁体層１１ｄ、１１ｅに形成しているため、第１のコイル１４を構成する第２のコイル導体１３に接続される第２の導電部２０ｂと、第２のコイル１７を構成する第３のコイル導体１５との間に、第４の絶縁体層１１ｄが形成され、さらに、第２のコイル１７を構成する第３のコイル導体１５に接続される第３の導電部２０ｃと、第１のコイル１４を構成する第２のコイル導体１３との間に、第５の絶縁体層１１ｅが形成され、これにより、第１のコイル１４と第２のコイル１７が近接するのを防ぐことができる。この結果、コイル間の絶縁性を向上させることができるという効果が得られるものである。
【００３０】
さらに、第１〜第４の導電部２０ａ〜２０ｄは、第２、第４、第５、第７の絶縁体層１１ｂ、１１ｄ、１１ｅ、１１ｇを貫通して形成されているため、その厚みは各絶縁体層の厚みと等しく、かつ第１〜第４のコイル導体１２、１３、１５、１６の厚みより厚いため、第１〜第４のコイル導体１２、１３、１５、１６と第１〜第４の外部電極１９ａ〜１９ｄとを直接接続させるより、第１〜第４の導電部２０ａ〜２０ｄと第１〜第４の外部電極１９ａ〜１９ｄとを接続させる方が、第１、第２のコイル１４、１７の両端部と第１〜第４の外部電極１９ａ〜１９ｄとの接続面積が広くなる。このように導電部２０ａ〜２０ｄを付与した結果、製品が小型化しても、第１、第２のコイル１４、１７の両端部と第１〜第４の外部電極１９ａ〜１９ｄとの接続面積をある程度確保できるため、第１、第２のコイル１４、１７と第１〜第４の外部電極１９ａ〜１９ｄとの接続信頼性を確保できる。
【００３１】
また、上記したコモンモードノイズフィルタの製造方法は、図４に示すように、複数の縦分割部２６と横分割部２７を有し、縦分割部２６、横分割部２７で１つのコモンモードノイズフィルタに相当する素子部分２８が区切られたシート状の絶縁体層２９を形成して行う。なお、図４では、説明を簡単にするため、１つの素子部分２８として、第１のコイル導体１２および第１のコイル導体１２と接続する１つの第１の導電部２０ａが形成された部分を示し、シート状の絶縁体層２９として、第２の絶縁体層１１ｂが複数形成されたものを示す。また、実際は、同様のシート状の絶縁体層と他のコイル導体、導電部が形成されたものを積層して図１に示す構成のコモンモードノイズフィルタを得る。
【００３２】
図４において、横方向に隣接する２つの素子部分２８ａ、２８ｂの組を、この２つの素子部分２８ａ、２８ｂを隔てる縦分割部２６ａに対して線対称になるように形成している。
【００３３】
このようにすることによって、１つの素子部分２８ａに接続する導電部２０ａが、１つの素子部分２８ａに対する他方の素子部分２８ｂが位置する方向とは反対方向に形成されるため、１つの素子部分２８ａのコイル導体１２と接続する導電部２０ａが他方の素子部分２８ｂに形成されず、これにより、コイル導体１２と、コイル導体１２と接続しない余分な導電部２０ａが同一絶縁体層１１ｂ上に発生しないため、縦分割部２６ａで分割する際にこの余分な導電部周辺でクラックが発生したり、余分な導電部が脱落したりして、外観不良が発生するのを抑制できる。
【００３４】
また、図４では、導電部２０ａが形成されていない縦分割部２６に対して線対称になるように素子部分２８を形成しているが、導電部２０ａが形成されている縦分割部２６に対して線対称になるように素子部分２８を形成してもよい。
【００３５】
そして、上記のようにして得られたシート状の絶縁体層、コイル導体、導電部を積層した後、縦分割部２６、横分割部２７で複数の素子部分２８にダイシング等により分割して積層体１８を形成し、第１〜第４の外部電極１９ａ〜１９ｄを形成して、個片状のコモンモードノイズフィルタが得られる。
【００３６】
一方、図５に示すように、横方向に隣接する素子部分において、素子部分２８を同じ形状になるように形成すれば、１つの素子部分２８ａのコイル導体１２と接続する導電部２０ａが他方の素子部分２８ｂにもその一部が形成されるため、図６に示すように、第１のコイル導体１２と接続しない余分な第１の導電部２０ａが別途形成される。導電部２０ａ〜２０ｄは、絶縁体層１１ａ〜１１ｈとは異なる銀で形成されているため、導電部２０ａ〜２０ｄで分割すれば、クラックの発生や導電部の脱落が生じて、外観不良が発生する場合があるが、このように導電部が余分に形成されれば、その分だけ、外観不良が発生する可能性が向上してしまう。
【００３７】
（実施の形態２）
以下、実施の形態２を用いて、本発明の特に請求項３に記載の発明について説明する。
【００３８】
図７は本発明の実施の形態２におけるコモンモードノイズフィルタの分解斜視図である。なお、この本発明の実施の形態２においては、上記した本発明の実施の形態１と同様の構成を有するものについては、同一符号を付しており、その説明は省略する。
【００３９】
本発明の実施の形態２が上記した本発明の実施の形態１と相違する点は、図７に示すように、第１のコイル１４を構成する第１のコイル導体１２と第２のコイル導体１３との間に、第２のコイル１７を構成する第３のコイル導体１５、第４のコイル導体１６を積層した点である。
【００４０】
そして、このとき、第３のコイル導体１５と第４のコイル導体１６との間に位置する第５の絶縁体層１１ｅに、第３のコイル導体１５、第４のコイル導体１６に接続する第３、第４の導電部２０ｃ、２０ｄを形成すれば、第３のコイル導体１５、第４のコイル導体１６はともに第２のコイル１７を構成しているため、両者は同電位であり、これにより、導電部２０ｃ、２０ｄと第３、第４のコイル導体１５、１６とが近接しても絶縁性が劣化することはない。つまり、本実施の形態２においては、第１〜第４の導電部２０ａ〜２０ｄによる第１〜第４の外部電極との高い接続信頼性を実現しつつ、第１〜第４の導電部２０ａ〜２０ｄと第１〜第４のコイル導体間の絶縁信頼性の劣化を防ぐことができる優れた効果を実現できる。
【００４１】
また、２つの第３、第４の導電部２０ｃ、２０ｄを１つの絶縁体層１１ｅに形成しているため、上記実施の形態１における第４の絶縁体層１１ｄが不要となり、これにより、積層する絶縁体層の数を削減できるため、さらなる薄型化やコスト低減を実現できる。
【００４２】
なお、上記した本発明の実施の形態１、２においては、第１のコイル１４、第２のコイルと１７をそれぞれ１つ設けたものについて説明したが、２つ以上設けてアレイタイプとしてもよい。
【００４３】
また、第１、第２のコイル１４、１７をそれぞれ構成するコイル導体を２つとし、４つのコイル導体を積層したものについて説明したが、第１、第２のコイル１４、１７をそれぞれ構成するコイル導体を３つ以上とし、６つ以上のコイル導体を積層するようにしてもよい。
【産業上の利用可能性】
【００４４】
本発明に係るコモンモードノイズフィルタおよびその製造方法は、コイル間の絶縁性を向上させることができるという効果を有するものであり、特にデジタル機器やＡＶ機器、情報通信端末等の各種電子機器のノイズ対策として使用されるコモンモードノイズフィルタ等において有用となるものである。
【符号の説明】
【００４５】
１１ａ〜１１ｈ  第１〜第８の絶縁体層
１２  第１のコイル導体
１３  第２のコイル導体
１４  第１のコイル
１５  第３のコイル導体
１６  第４のコイル導体
１７  第２のコイル
１８  積層体
１９ａ〜１９ｄ  第１〜第４の外部電極
２０ａ〜２０ｄ  第１〜第４の導電部
【図１】
2014123643.tif 000003
【図２】
2014123643.tif 000004
【図３】
2014123643.tif 000005
【図４】
2014123643.tif 000006
【図５】
2014123643.tif 000007
【図６】
2014123643.tif 000008
【図７】
2014123643.tif 000009
【図８】
2014123643.tif 000010
【図９】
2014123643.tif 000011
【図１０】
2014123643.tif 000012